(57)【要約】【課題】製品における異常を簡単な構成で検出することができる手乾燥装置を得ること。【解決手段】手乾燥装置１００は、手を挿入可能な手挿入部３に向かって空気流を吹き出すノズル１２を備えたケーシング１と、送風部と、手検知センサ１４と、手検知センサ１４における検知結果に基づいて手挿入部３における手の有無を判定する手検知判定を行い、手検知判定の判定結果に基づいて送風部の駆動を制御する制御部と、ケーシング１における振動の大きさである振動値を測定する振動センサ２７と、を備える。制御部は、手検知判定の判定結果に基づいて手挿入部に手が挿入されていないと判定されて送風部が動作している場合に振動センサ２７で測定された振動値と、手乾燥装置１００が正常であり送風部が動作している場合の振動値の正常値の範囲である正常値範囲とに基づいて、手乾燥装置１００における異常の有無を判定する。【選択図】図４
2019195365.tif 000002
【特許請求の範囲】
【請求項１】
手を挿入可能な手挿入部に向かって空気流を吹き出すノズルを備えたケーシングと、
前記ノズルから吹き出す空気流を生成する送風部と、
前記手挿入部内の手を検知する手検知センサと、
前記手検知センサにおける検知結果に基づいて前記手挿入部における手の有無を判定する手検知判定を行い、前記手検知判定の判定結果に基づいて前記送風部の駆動を制御する制御部と、
前記ケーシングにおける振動の大きさである振動値を測定する振動センサと、
を備え、前記手挿入部に挿入された手に付着した水分を前記ノズルから噴射する前記空気流により払拭する手乾燥装置であって、
前記制御部は、前記手検知判定の判定結果に基づいて前記手挿入部に手が挿入されていないと判定されて前記送風部が動作している場合に前記振動センサで測定された前記振動値と、前記手乾燥装置が正常であり前記送風部が動作している場合の前記振動値の正常値の範囲である正常値範囲とに基づいて、前記手乾燥装置における異常の有無を判定すること、
を特徴とする手乾燥装置。
【請求項２】
前記手乾燥装置の外部に前記手乾燥装置の異常を報知する報知部を備え、
前記制御部は、前記手乾燥装置における異常の発生を判定した場合に前記報知部を動作させること、
を特徴とする請求項１に記載の手乾燥装置。
【請求項３】
前記制御部は、前記振動値が予め決められた第１の閾値より大きい場合と、前記振動値が前記第１の閾値よりも小さく予め決められた第２の閾値より小さい場合とにおいて、前記報知部に異なる動作をさせること、
を特徴とする請求項２に記載の手乾燥装置。
【請求項４】
前記制御部は、前記手検知判定の判定結果に基づいて前記手挿入部に手が挿入されている状態から前記手挿入部に手が挿入されていない状態に変化したことを判定した後に、前記振動センサで測定された前記振動値と前記正常値範囲とに基づいて、前記手乾燥装置における異常の有無を判定すること、
を特徴とする請求項１から３のいずれか１つに記載の手乾燥装置。
【請求項５】
前記制御部は、前記手検知判定の判定結果に基づいて前記手挿入部に手が挿入されている状態から前記手挿入部に手が挿入されていない状態に変化したことを判定した後に、予め決められた継続運転時間だけ前記送風部を継続して動作させること、
を特徴とする請求項４に記載の手乾燥装置。
【請求項６】
前記制御部は、前記手乾燥装置における異常の発生を判定した場合に前記送風部を運転させないこと、
を特徴とする請求項１から５のいずれか１つに記載の手乾燥装置。
【請求項７】
前記制御部は、前記振動値が予め決められた第３の閾値より大きい場合と、前記振動値が前記第３の閾値よりも小さく予め決められた第４の閾値より小さい場合との少なくとも一方の場合において、前記送風部を運転させないこと、
を特徴とする請求項６に記載の手乾燥装置。
【請求項８】
前記ノズルと対向して前記手挿入部の下方に配置される水受け部を備え、
前記振動センサは、前記水受け部に配置されて、前記ノズルから吹き出された前記空気流が前記水受け部に衝突したときの前記水受け部の振動の大きさを測定すること、
を特徴とする請求項１から７のいずれか１つに記載の手乾燥装置。
【発明の詳細な説明】
【技術分野】
【０００１】
本発明は、洗浄後の濡れた手を乾燥させるための手乾燥装置に関する。
【背景技術】
【０００２】
従来、温風空気または高速空気流といった作動気流を濡れた手に当てることで手を乾燥させる手乾燥装置が知られている。特許文献１には、吸い込み口から吸い込まれた外気がファンモータを通る際に熱を受け、気流の温度が上昇することを利用し、ファンモータから送風された気流を吹出温センサで計測することでファンモータの異常を検知する手乾燥装置が開示されている。
【先行技術文献】
【特許文献】
【０００３】
【特許文献１】特開２０１０−２２０９１８号公報
【発明の概要】
【発明が解決しようとする課題】
【０００４】
しかしながら、上記特許文献１の手乾燥装置は、長時間に亘って使用されずに待機状態にあった後にファンモータを駆動させた場合と、多くの使用者により連続的に使用された場合とでは、ファンモータから送風された気流のファンモータからの排熱による温度上昇値が異なる。このため、特許文献１の手乾燥装置は、ファンモータの異常を検出する検出精度に課題がある。
【０００５】
また、特許文献１の手乾燥装置は、ファンモータから送風された気流の温度を指標としてファンモータの異常のみを検出するものであり、他の部位で発生した異常による製品全体としての機能および性能の低下、および破損などを検出することはできない。
【０００６】
そして、特許文献１の手乾燥装置は、ファンモータから吹き出された気流の吹き出し温度と外気の温度との２種類の温度を元にファンモータの異常を検出する場合には、外気の温度を計測する温度センサも必要となり構造が複雑になる、という問題があった。
【０００７】
本発明は、上記に鑑みてなされたものであって、製品における異常を簡単な構成で精度良く検出することができる手乾燥装置を得ることを目的とする。
【課題を解決するための手段】
【０００８】
上述した課題を解決し、目的を達成するために、本発明にかかる手乾燥装置は、手を挿入可能な手挿入部に向かって空気流を吹き出すノズルを備えたケーシングと、ノズルから吹き出す空気流を生成する送風部と、手挿入部内の手を検知する手検知センサと、手検知センサにおける検知結果に基づいて手挿入部における手の有無を判定する手検知判定を行い、手検知判定の判定結果に基づいて送風部の駆動を制御する制御部と、ケーシングにおける振動の大きさである振動値を測定する振動センサと、を備える。手乾燥装置は、手挿入部に挿入された手に付着した水分をノズルから噴射する空気流により払拭する。制御部は、手検知判定の判定結果に基づいて手挿入部に手が挿入されていないと判定されて送風部が動作している場合に振動センサで測定された振動値と、手乾燥装置が正常であり送風部が動作している場合の振動値の正常値の範囲である正常値範囲とに基づいて、手乾燥装置における異常の有無を判定する。
【発明の効果】
【０００９】
本発明によれば、製品における異常を簡単な構成で精度良く検出することができる手乾燥装置が得られる、という効果を奏する。
【図面の簡単な説明】
【００１０】
【図１】本発明の実施の形態１にかかる手乾燥装置の外観を示す斜視図
【図２】本発明の実施の形態１にかかる手乾燥装置の側面図
【図３】本発明の実施の形態１にかかる手乾燥装置の上面図
【図４】本発明の実施の形態１にかかる手乾燥装置の側面に沿った断面図
【図５】本発明の実施の形態１にかかる手乾燥装置の平面断面図であり、図２におけるＶ−Ｖ線に沿った断面図
【図６】本発明の実施の形態１にかかる手乾燥装置のカバーを開いた状態の外観を示す斜視図
【図７】本発明の実施の形態１にかかる手乾燥装置のカバーを開き、エアフィルタを外した状態の手乾燥装置の外観を示す斜視図
【図８】本発明の実施の形態１にかかる手乾燥装置のカバーを外した状態の外観を示す斜視図
【図９】本発明の実施の形態にかかる手乾燥装置の制御に関わる主要部分の機能構成を示すブロック図
【図１０】本発明の実施の形態１にかかる処理回路のハードウェア構成の一例を示す図
【図１１】本発明の実施の形態１にかかる手乾燥装置の据付方法を示す斜視図
【図１２】本発明の実施の形態１にかかる手乾燥装置における、高圧空気流発生装置の運転状態と、手検知センサにおける検知状態と、振動センサにおいて手乾燥装置の異常を検出するために振動を測定する時間と、の関係を示す図
【図１３】本発明の実施の形態１にかかる手乾燥装置における異常を検出する処理の手順を示すフローチャート
【発明を実施するための形態】
【００１１】
以下に、本発明の実施の形態にかかる手乾燥装置を図面に基づいて詳細に説明する。なお、この実施の形態によりこの発明が限定されるものではない。
【００１２】
実施の形態１．
図１は、本発明の実施の形態１にかかる手乾燥装置の外観を示す斜視図である。図２は、本発明の実施の形態１にかかる手乾燥装置の側面図である。図３は、本発明の実施の形態１にかかる手乾燥装置の上面図である。図４は、本発明の実施の形態１にかかる手乾燥装置の側面に沿った断面図である。図５は、本発明の実施の形態１にかかる手乾燥装置の平面断面図であり、図２におけるＶ−Ｖ線に沿った断面図である。図６は、本発明の実施の形態１にかかる手乾燥装置のカバーを開いた状態の外観を示す斜視図である。図７は、本発明の実施の形態１にかかる手乾燥装置のカバーを開き、エアフィルタ２０を外した状態の手乾燥装置の外観を示す斜視図であり、図６においてエアフィルタ２０を外した状態の手乾燥装置の外観を示す斜視図である。図８は、本発明の実施の形態１にかかる手乾燥装置のカバーを外した状態の外観を示す斜視図である。
【００１３】
図１から図４に示すように、手乾燥装置１００の外殻をなすケーシング１は、手を乾燥するために人が立つ手乾燥装置１００の正面側および側面側に手挿入口２を有し、手挿入口２に続く処理空間として手を出し入れできる広さを有する手挿入部３を備えており、手を挿抜できるようにしてある。ケーシング１は、後述する高圧空気流発生装置９および図示しない制御回路といった構成部を内部に収容する。手挿入部３は、ケーシング１の正面側の下部に、正面と両側面とが開放されたシンク状の凹部として形成されており、正面側および両側面側から手を挿抜できるようにしてある。すなわち、手挿入部３は、正面と両側面とが開放されることによってケーシング１の正面の下部に形成された凹部の内側の空間であって、手を乾燥するための空間である。なお、本実施の形態１において、前後方向は、手乾燥装置１００の奥行き方向であり、カバー１６が配置される側が前方であり、ベース８が配置される側が後方である。また、上下方向は手乾燥装置１００の高さ方向である。
【００１４】
手挿入部３の後方および底部側には、ケーシング１の一部として構成された水受け部４が形成されている。水受け部４は、手挿入部３の後方および下方に配置されて手挿入部３を後方および下方から覆う。水受け部４は、手挿入部３の後ろ側において手乾燥装置１００の高さ方向に延在して設けられた立壁面を有する背面部である背面側水受け部４ａと、手挿入部３の底部側に設けられた底面部である底面側水受け部４ｂとを有する。すなわち、水受け部４は、手挿入部３の底部側から後ろ側にわたって、手乾燥装置１００の側面に沿った断面において断面Ｌ形状に設けられている。水受け部４の左右方向および前方の端縁部には、前方または上方に突出した曲面構成の立ち上がりによる防壁構造５が設けられ、手挿入部３の側方および前方に水が飛散しないようになっている。
【００１５】
底面側水受け部４ｂは、前傾構造とされて後方から前方に向かって傾斜した傾斜面とされており、この傾斜面の下端に不図示の排水口が設けられている。底面側水受け部４ｂの下方には、排水口から滴下する水を貯留するドレン容器７が、抜き差し自在に設けられている。
【００１６】
手挿入部３の内面には、シリコン系の撥水性コーティングもしくはフッ素系の撥水性コーティング、酸化チタンに代表される親水性を有する材料のコーティングといったコーティングが施され、または抗菌剤が含浸されている。これにより、手挿入部３の内面は、汚れが付着することが軽減されており、また細菌が繁殖することが低減されている。
【００１７】
手挿入部３の上方には、手挿入部３に向かって下方に高速空気を吹き出すノズル１２が設けられている。ノズル１２は、高速空気を吹き出すための吐出口を先端部に有し、手挿入部３の上側の内壁である上壁３ａに設けられている。吐出口の形状は、たとえば矩形状またはスリット状とされる。ノズル１２の背面側の近くには、手挿入部３における手の有無を検知する手検知センサ１４が設けられている。
【００１８】
手検知センサ１４は、手乾燥装置１００の動作を制御する制御部５０と通信可能に接続されており、手挿入部３に手が挿入されていることを検知すると、手挿入部３への手の挿入の検知を示す手検知信号を制御部５０に送信する。手検知センサ１４は、手挿入部３への手の挿入を検知している間、手検知信号を制御部５０に送信する。
【００１９】
ノズル１２と対向する底面側水受け部４ｂの下面、すなわち底面側水受け部４ｂの底部側の面には、底面側水受け部４ｂの振動を検知する振動センサ２７が設けられている。
【００２０】
振動センサ２７は、手乾燥装置１００の動作を制御する制御部５０と通信可能に接続されており、底面側水受け部４ｂの振動の大きさを測定して、測定結果を制御部５０に送信する。振動センサ２７は、圧電効果を利用したセンサが用いられており、底面側水受け部４ｂに高速空気が当たることによって底面側水受け部４ｂに発生した振動の加速度の大きさに対応して電圧を発生する。振動センサ２７は、電圧値を測定して、底面側水受け部４ｂの振動の大きさの測定結果である振動値として制御部５０に送信する。振動センサ２７は、ノズル１２の中心線の延長線上を検知範囲に含むように配設されている。ノズル１２の中心線は、矩形状またはスリット状の吐出口の中心を通る、ノズル１２から吹き出される高速空気の気流の中心線である。なお、底面側水受け部４ｂの振動の大きさを検出できれば、振動センサ２７は必ずしもノズル１２の中心線の延長線上に配置されなくてもよい。
【００２１】
図９は、本発明の実施の形態にかかる手乾燥装置１００の制御に関わる主要部分の機能構成を示すブロック図である。制御部５０は、手乾燥装置１００の動作を制御する。制御部５０は、手挿入部３における手の有無を検知する手検知センサ１４における検知結果に基づいて手挿入部３における手の有無を判定する手検知判定を行い、手検知判定の判定結果に基づいて高圧空気流発生装置９の駆動を制御する。すなわち、制御部５０は、手検知センサ１４から送信された手検知信号に基づいて、高圧空気流発生装置９の運転を制御して、高圧空気流発生装置９から手挿入部３内に空気流を噴出させる。
【００２２】
また、制御部５０は、振動センサ２７で測定された振動値に基づいて、手乾燥装置１００における異常の有無を判定する。制御部５０は、振動センサ２７から送信された振動値の情報に基づいて、底面側水受け部４ｂの振動の大きさを判定する。制御部５０が、手乾燥装置１００が正常であり高圧空気流発生装置９が動作している場合の加速度範囲、すなわち手乾燥装置１００が正常であり高圧空気流発生装置９が動作している場合の電圧範囲を記憶しておくことで、制御部５０において手乾燥装置１００が「異常状態」であることを精度良く検出することが可能となっている。手乾燥装置１００が正常であり高圧空気流発生装置９が動作している場合の加速度範囲、すなわち手乾燥装置１００が正常であり高圧空気流発生装置９が動作している場合の電圧範囲は、手乾燥装置１００が正常であり高圧空気流発生装置９が動作している場合の、あらかじめ定められた振動値の正常値の範囲である正常値範囲といえる。正常値範囲は、ノズル１２から噴出される高速空気流の風量のノッチごとに制御部５０に記憶されている。
【００２３】
振動センサ２７で測定された振動の加速度が正常な範囲を下回ることは、底面側水受け部４ｂの振動が小さくなっていることを示す。振動センサ２７で測定された振動の加速度が正常な範囲を下回る場合には、経年劣化による高圧空気流発生装置９の能力低下、手乾燥装置１００内の風路の損傷による空気漏れ、ノズル１２またはエアフィルタ２０の詰まりによる風量不足などの異常の発生を検出したと判定できる。
【００２４】
一方、振動センサ２７で測定された振動の加速度が正常な範囲を上回ることは、底面側水受け部４ｂの振動が大きくなっていることを示す。振動センサ２７で測定された振動の加速度が正常な範囲を上回る場合には、加振源である高圧空気流発生装置９の異常による振動増大、後述する締結部品２９の緩みまたは折損、防振部品３２の経年劣化、ケーシング１の破損による剛性低下などの異常の発生を検出したと判定できる。すなわち、手乾燥装置１００は、高圧空気流発生装置９の異常以外の異常の発生を検知することができる。
【００２５】
制御部５０は、例えば、図１０に示したハードウェア構成の処理回路として実現される。図１０は、本発明の実施の形態１にかかる処理回路のハードウェア構成の一例を示す図である。制御部５０が図１０に示したハードウェア構成の処理回路として実現される場合には、制御部５０は、例えば、図１０に示すプロセッサ１０１がメモリ１０２に記憶されたプログラムを実行することにより、実現される。また、複数のプロセッサおよび複数のメモリが連携して上記機能を実現してもよい。また、制御部５０の機能のうちの一部を電子回路として実装し、他の部分をプロセッサ１０１およびメモリ１０２を用いて実現するようにしてもよい。
【００２６】
手挿入部３の上方には、背面側の手乾燥装置１００の外殻をなすベース８とケーシング１とで箱体状の空間が構成される。箱体状の空間内には、ＤＣ（Ｄｉｒｅｃｔ  Ｃｕｒｒｅｎｔ）ブラシレスモーターと、ＤＣブラシレスモーターによって回転するターボファンとにより構成された高圧空気流発生装置９と、手検知センサ１４における手検知信号に応じて高圧空気流発生装置９を含む手乾燥装置１００の運転を制御する制御部５０と、が組み込まれている。高圧空気流発生装置９は、ノズル１２から吹き出す空気流を生成する送風部である。高圧空気流発生装置９から排出された空気は、ノズル１２を通って手挿入部３に噴出し、ユーザの手に吹き付けられる。なお、ＤＣブラシレスモーターの代わりに、整流子モーターまたは誘導電動機が用いられてもよい。
【００２７】
また、箱体状の空間内には、高圧空気流発生装置９の吸気側と手挿入部３とよりも上方でケーシング１の正面に設けられた内部吸気口１０と、高圧空気流発生装置９の吸気側と該内部吸気口１０とを連通する内部吸気風路１１とが設けられている。
【００２８】
また、箱体状の空間内には、高圧空気流発生装置９の排気側とノズル１２とを連通する排気風路１３が設けられている。排気風路１３は、高圧空気流発生装置９の排気側を囲んで設けられている。高圧空気流発生装置９で高圧化された空気は、高圧空気流発生装置９と接続して設けられた排気風路１３に排出される。また、排気風路１３は、上壁３ａに設けられたノズル１２に接続されている。これにより、高圧空気流発生装置９から排出された高圧空気は、排気風路１３を通り、ノズル１２によって高速空気に変換されて、ノズル１２から手挿入部３内に噴出される。
【００２９】
排気風路１３の途中であってノズル１２より上流側には、高圧空気流発生装置９から送られてくる空気を加熱して温風化させるヒータ１５が設けられている。また、高圧空気流発生装置９の背面側には、高圧空気流発生装置９に密着して高圧空気流発生装置９の振動を吸収するための、弾性体を材料とした防振部品３２が設けられている。
【００３０】
手挿入部３の上部のケーシング１の正面の外側には、手乾燥装置１００の正面側の外殻をなし、左側の端がケーシング１に回転可能に支持されて手乾燥装置１００の正面側に開閉自在で、かつケーシング１から着脱することもできるカバー１６が取り付けられている。
【００３１】
ケーシング１の左右の側面の一部には、背面側から前面側に向かうにしたがって、左右方向における中央側に向かって傾斜する傾斜部１７ａを設けている。また、ケーシング１の正面と側面との稜線の一部および側面の一部が凹む凹部１７を設けている。すなわち、ケーシング１の側面において、傾斜部１７ａとその他の部分との間には段差が設けられることになる。この段差部分をつなげることで、傾斜部１７ａ部分が、ケーシング１の側面の一部を凹ませた凹部１７となる。傾斜部１７ａは凹部１７の底面となる。
【００３２】
カバー１６を閉じた状態では、カバー１６の外周は、凹部１７以外の部分ではケーシング１に当接する。また、凹部１７部分では、カバー１６の外周が凹部１７に当接せず、カバー１６と凹部１７との間に形成された空間が外部吸気口１８となる。外部吸気口１８は、外部に向かって開口する。すなわち、外部吸気口１８は、カバー１６とケーシング１とに跨って形成されている。なお、外部吸気口１８は、手挿入部３の前後方向の中心位置より正面側で、手挿入部３の正面側の手挿入口２とほぼ同じ位置に設けられている。
【００３３】
カバー１６の左右の両側であって外部吸気口１８に隣り合う位置には、手乾燥装置１００の正面側から背面側に向かって立ち上がる吸気口壁２２がカバー１６に一体で設けられている。ケーシング１の凹部１７とカバー１６の吸気口壁２２とにより形成される外部吸気口１８において、外部吸気口１８が最小断面積となる面の法線が背面側の向かって傾くように外部吸気口１８が背面側に向かって開口して設けられている。なお、本実施の形態１では凹部１７を設けることにより、凹部１７とカバー１６の吸気口壁２２とにより外部吸気口１８が構成されているが、必ずしも凹部１７を設けなくてもよい。凹部１７を設けない場合は、カバー１６の左右方向のサイズを大きくして吸気口壁２２がケーシング１の左右の側面よりも外側に位置するように構成することで、外部吸気口１８が背面側に向かって開口するようにしてもよい。
【００３４】
カバー１６の外周より内側には、内部吸気口１０と外部吸気口１８とを連通する外部吸気風路１９が、カバー１６とケーシング１とにより構成される。すなわち、カバー１６とケーシング１とに跨って外部吸気風路１９が構成されている。これは、カバー１６とケーシング１との間に外部吸気風路１９が形成されているともいえる。
【００３５】
図６に示すように、ケーシング１のうちカバー１６を開いて現れる正面には、ケーシング１に設けられた内部吸気口１０を覆い、外部吸気口１８から外部吸気風路１９を通って内部吸気口１０から高圧空気流発生装置９へ吸い込まれる空気中の塵埃を除去する樹脂製または金属製のエアフィルタ２０が、前後方向の抜き差し動作で着脱できるように取り付けられている。エアフィルタ２０の面積は、外部吸気口１８および外部吸気風路１９の通風方向に対する断面積よりも大きくしてある。なお、エアフィルタ２０はＨＥＰＡ（Ｈｉｇｈ  Ｅｆｆｉｃｉｅｎｃｙ  Ｐａｒｔｉｃｕｌａｔｅ）フィルターまたは抗菌フィルターであってもよい。
【００３６】
つぎに、手乾燥装置１００の操作部について説明する。図６に示すように、カバー１６を開いて現れるケーシング１の正面であってエアフィルタ２０の近くの領域には、外部から操作可能な操作部が設けられている。操作部は、操作スイッチが正面側に向かうように設けられ、使用者が正面側から視認しやすくまた操作しやすく設けられている。操作部には、操作スイッチとして、制御部５０への通電の入り切りを切り替える電源スイッチ２１ａ、高圧空気流発生装置９の動作時の風量を調節する風量調節スイッチ２１ｂおよびヒータ１５の通電の入り切りを切り替えるヒータ切替スイッチ２１ｃが設けられている。各スイッチおよび各センサは、不図示の配線によって制御部５０と通信可能に接続されている。
【００３７】
ケーシング１の正面には、電源スイッチ２１ａを取り囲む囲い壁２５が正面側に突出するように一体で設けられ、カバー１６を閉じたときに囲い壁２５がカバー１６の内面側に当接するようになっている。また、ケーシング１の正面には、風量調節スイッチ２１ｂおよびヒータ切替スイッチ２１ｃを取り囲む囲い壁２５が正面側に突出するように一体で設けられ、カバー１６を閉じたとき囲い壁２５がカバー１６の内面側に当接するようになっている。
【００３８】
図５に示すように、外部吸気風路１９には、ケーシング１の正面に一体で設けられケーシング１からカバー１６側に向かって突出したケーシング側障壁２３が、エアフィルタ２０を囲むように上下方向および左右方向に繋がって延びて設けられている。ケーシング側障壁２３およびカバー側障壁２４は、手乾燥装置１００の外部から手乾燥装置１００の内部に流れる空気の風路を仕切って空気を手乾燥装置１００の内部に誘導する。また、外部吸気風路１９には、カバー１６に一体で設けられカバー１６からケーシング１の正面側に向かって、すなわち手乾燥装置１００の背面側に向かって突出したカバー側障壁２４が設けられている。カバー側障壁２４は、カバー１６の背面側において、上下方向および左右方向に繋がったＵ形状に設けられている。
【００３９】
ケーシング側障壁２３とカバー側障壁２４とは、外部吸気風路１９の中の風の流れ方向に間隔を空けた状態で、ケーシング側障壁２３とカバー側障壁２４とのそれぞれの先端が前後方向において互いに重なり合うように立体的に配置されている。なお、ケーシング側障壁２３とカバー側障壁２４とは、それぞれの先端を対向するケーシング１またはカバー１６に当接させ、ケーシング側障壁２３とカバー側障壁２４との上下方向に配置位置をずらすとともにケーシング側障壁２３とカバー側障壁２４との上下方向の端のみ上下方向で互いに重なるように立体的に配置されてよい。また、本実施の形態１では、吸気口壁２２の先端をケーシング側障壁２３の先端より背面側の位置まで延ばして、吸気口壁２２とケーシング側障壁２３とが前後方向において互いに重なり合うように立体的に設けてあるので、吸気口壁２２はカバー側障壁２４としても機能し、カバー側障壁２４ともいえる。
【００４０】
また、カバー１６の正面には、手乾燥装置１００の動作状態および手乾燥装置１００における異常の発生などの各種情報を使用者に報知する報知部である表示部３１が設けられている。表示部３１には、たとえばＬＥＤ（Ｌｉｇｈｔ  Ｅｍｉｔｔｉｎｇ  Ｄｉｏｄｅ）が用いられる。表示部３１は、制御部５０の制御により、各種の情報をたとえば点滅または点灯により表示する。
【００４１】
つぎに、外部吸気口１８、内部吸気口１０、外部吸気風路１９、内部吸気風路１１および高圧空気流発生装置９のレイアウトについて説明する。内部吸気口１０の位置は、外部吸気口１８における上下方向の中央位置よりも上方に配置されている。高圧空気流発生装置９は、吸込側が背面側とされ、高圧空気流発生装置９のＤＣブラシレスモーターの回転軸が水平になるように配置されている。
【００４２】
高圧空気流発生装置９より正面側に設けられている内部吸気口１０と、高圧空気流発生装置９の吸込側とを連通させる内部吸気風路１１は、内部吸気口１０の位置から次第に斜め上方へ上り、水平になって高圧空気流発生装置９の上方を背面側へ伸び、さらに下方に屈曲して高圧空気流発生装置９の吸込側と連通している。また、内部吸気口１０の付近の内部吸気風路１１には、空気の流れ方向に平行な格子状のリブ２６がエアフィルタ２０のメッシュのピッチよりも大きいピッチで設けられ、内部吸気風路１１が細かく区画されている。これにより、万一、エアフィルタ２０を装着し忘れた場合でも紙くずなど大きなゴミがリブ２６で引っ掛り、リブ２６より先には吸い込まれないようになっている。
【００４３】
つぎに、手乾燥装置１００において手を乾燥させる動作について説明する。カバー１６を開いて電源スイッチ２１ａをオンにすると、制御部５０に通電され、カバー１６を閉じて手乾燥装置１００が使用可能な状態となる。このとき、手乾燥装置１００の正面に設けられた表示部３１が点灯する。これにより、使用者は、手乾燥装置１００が使用可能な状態であることを確認することができる。
【００４４】
つぎに、使用者が濡れた手を手挿入口２から手挿入部３内に手首付近まで入れると、手検知センサ１４によって手挿入部３への手の挿入が検知される。手検知センサ１４は、手挿入部３への手の挿入を検知すると、制御部５０に手検知信号を送信する。制御部５０は、手検知センサ１４から送信された手検知信号に基づいて、高圧空気流発生装置９を作動させる。
【００４５】
高圧空気流発生装置９が作動すると、手乾燥装置１００の外の空気がケーシング１に設けられた傾斜部１７ａおよび吸気口壁２２に沿って背面側から正面側に向かって流れて外部吸気口１８から吸い込まれる。外部吸気口１８から吸い込まれた空気は、外部吸気風路１９を通り、ケーシング側障壁２３およびカバー側障壁２４で進路を曲げられて進み、エアフィルタ２０で塵埃が除去されて内部吸気口１０に吸い込まれる。外部吸気口１８から空気とともに水滴が吸い込まれた場合でも、ケーシング側障壁２３およびカバー側障壁２４で水滴の通過が遮断され、空気のみを通過させることができる。
【００４６】
内部吸気口１０に吸い込まれた空気は、内部吸気風路１１を通って、内部吸気口１０の位置より一旦、上方に上がり、高圧空気流発生装置９の上方を通って背面側に向かい、下方に移動して高圧空気流発生装置９の吸込側から吸い込まれる。高圧空気流発生装置９は吸気側から吸い込んだ空気を高圧空気に変換して排気側から排気する。高圧空気流発生装置９から排気された高圧空気は、排気風路１３を通り、ノズル１２から高い運動エネルギーを持つ高速空気流に変換され、下方に向かって手挿入部３内に吹き出される。ノズル１２からの高速空気流の噴出方向は、真下方向よりもわずかに背面側へ傾くように構成されている。
【００４７】
ノズル１２から吹き出された高速空気流は、手挿入部３に挿入されている濡れた手に当り、手に付着した水分を手の表面から剥離して吹き飛ばして手を乾燥させることができる。さらに、手挿入部３内で手を挿抜させることによって、手全体に付着していた水滴がすべて排除され、手が乾燥処理される。なお、ヒータ切替スイッチ２１ｃでヒータスイッチをオンにしている場合には、ヒータ１５が通電され排気風路１３を通る高圧空気が加熱されるため、ノズル１２からは温風が吹き出され、冬場などにおいても使用感がよくなる。
【００４８】
手の乾燥処理終了後、手を手挿入部３から抜き出すと、手挿入部３から手が抜かれたことが手検知センサ１４によって検知される。手検知センサ１４は、手挿入部３から手が抜かれたことを検知すると、制御部５０に不検知信号を送信する。制御部５０は、手検知センサ１４から送信された不検知信号に基づいて、高圧空気流発生装置９を停止させる。手から吹き飛ばされた水滴は、前傾構造とされた底面側水受け部４ｂにおいて排水口に向かって流下し、排水口からドレン容器７に収容される。なお、手検知センサ１４は、手挿入部３に手が無い場合には不検知信号を送信せずに、手検知信号の送信を停止する構成とされてもよい。
【００４９】
つぎに、手乾燥装置１００の据付について説明する。図１１は、本発明の実施の形態１にかかる手乾燥装置１００の据付方法を示す斜視図である。まず、トイレ等における強固な材料で構成された壁４０に、取付板２８を複数本の締結部品２９を用いて固定する。つぎに、取付板２８から突出している引っ掛け部４１へ、上方から手乾燥装置１００のベース８を取り付ける。なお、図１１においては、手乾燥装置１００がケーシング１と、ドレン容器７と、エアフィルタ２０と、ケーシング１に収容されるそれ以外の構成部が組み立てられた構造体３３と、に分解された状態を示しているが、少なくともケーシング１に主要構成部が収容された状態の手乾燥装置１００が引っ掛け部４１へ取り付けられる。
【００５０】
つぎに、手乾燥装置１００の背面下方に設けられた貫通穴３０を通して締結部品２９を壁４０に取り付けることにより、手乾燥装置１００を壁４０に固定する。これにより、手乾燥装置１００が上下方向に動くことがなくなり、取付板２８から脱落することを防ぐことができる。また、手乾燥装置１００の背面を壁４０に直接取り付けることで、手乾燥装置１００を壁４０に密着させて据え付けることができる。
【００５１】
つぎに、手乾燥装置１００において異常を検出する異常判定処理について説明する。図１２は、本発明の実施の形態１にかかる手乾燥装置１００における、高圧空気流発生装置９の運転状態と、手検知センサ１４における手の検知状態と、振動センサ２７において手乾燥装置１００の異常を検出するために振動を測定する時間と、の関係を示す図である。図１３は、本発明の実施の形態１にかかる手乾燥装置１００における異常を検出する処理の手順を示すフローチャートである。
【００５２】
ステップＳ１０において高圧空気流発生装置９が作動して手挿入部３に挿入されている使用者の手に付着した水分をノズル１２から吹き出された高速空気流が吹き飛ばした後、使用者が手挿入部３から手を引抜き、手を乾燥させる動作が完了する。ステップＳ２０において、使用者が手挿入部３から手を引き抜いた直後の時刻Ｔ１において、手乾燥装置１００の各部位の状態としては、制御部５０が、手検知センサ１４から送信される不検知信号に基づいて、手挿入部３に手が挿入されていない「手無し」の状態という判定をする。すなわち、制御部５０は、手検知センサ１４における検出結果に基づいて、手挿入部３に手が挿入されている「手有り」の状態から、手挿入部３に手が挿入されていない「手無し」の状態に判定を変更する。
【００５３】
手挿入部３に手が挿入されていない「手無し」の状態に判定を変更した後に、ステップＳ３０において制御部５０は、高圧空気流発生装置９を予め決められた継続運転時間だけ継続して動作させる。そして、ステップＳ４０において、制御部５０の制御にしたがって振動センサ２７が、底面側水受け部４ｂの振動値を測定する。振動センサ２７は、継続運転時間の間だけ、底面側水受け部４ｂで発生した振動の大きさを測定し、測定値である振動値を制御部５０に送信する。すなわち、継続運転時間は、振動センサ２７における振動測定時間である。
【００５４】
継続運転時間は、時刻Ｔ１から時刻Ｔ２までの時間である。このとき、高圧空気流発生装置９は作動中であり、ノズル１２から高速空気流が噴出されている。そして、手挿入部３に使用者の手が無く高速空気流を遮るものがないため、高速空気流は減衰しながら対向する水受け部４の底面側水受け部４ｂへ衝突している。高速空気流が衝突することにより、水受け部４の底面側水受け部４ｂにはある周波数とある振幅とを有する振動が発生する。制御部５０は、継続運転時間の間だけ振動センサ２７に底面側水受け部４ｂで発生した振動の大きさを測定させる制御を行う。
【００５５】
ステップＳ５０において、制御部５０は、振動センサ２７から受信した振動値と正常値範囲とを比較し、手乾燥装置１００が異常状態か否かを判定する。手乾燥装置１００は、振動値が正常値範囲外である場合に、手乾燥装置１００に異常が発生している「異常状態」であると判定する。手乾燥装置１００は、振動値が正常値範囲内である場合に、手乾燥装置１００が正常である「正常状態」であると判定する。
【００５６】
「異常状態」であると判定された場合には、ステップＳ５０においてＹｅｓとなり、ステップＳ６０に進む。「正常状態」であると判定された場合には、ステップＳ５０においてＮｏとなり、一連の異常判定処理が就床する。
【００５７】
ステップＳ６０において、制御部５０は、手乾燥装置１００に設けられた表示部３１を点滅させて、視覚的手段によって使用者へ手乾燥装置１００の「異常状態」を報知する。上述した処理を行うことにより、手乾燥装置１００は、手乾燥装置１００の異常を検知するとともに使用者に異常の発生を知らせることができる。
【００５８】
なお、制御部５０は、ブザー等を用いた聴覚的手段によって使用者へ「異常状態」を報知してもよい。制御部５０は、予め決められた継続運転時間が経過した後に、手検知センサ１４から送信される不検知信号に基づいて「手無し」の状態の判定をした場合には、高圧空気流発生装置９の運転を停止させる。なお、制御部５０は、予め決められた継続運転時間が経過した後に、手検知センサ１４から送信される手検知信号に基づいて「手有り」の状態の判定をした場合には、高圧空気流発生装置９を作動させる。
【００５９】
また、制御部５０は、振動値が正常値範囲外における予め決められた第１の閾値より大きい場合の「異常状態」と、振動値が正常値範囲外における予め決められた第２の閾値より小さい場合の「異常状態」と、において、表示部３１への点滅のパターンを変えることで、異常原因を絞り込んで使用者に報知することができる。第２の閾値は、第１の閾値よりも小さい。第１の閾値は、たとえば正常値範囲の上限値とされるが、これに限定されない。第２の閾値は、たとえば正常値範囲の下限値とされるが、これに限定されない。
【００６０】
また、制御部５０は、「異常状態」であると判定した場合に、高圧空気流発生装置９を強制停止させて、その後、手検知センサ１４での検出結果に基づいて「手有り」の状態の判定をしても高圧空気流発生装置９を運転させない「禁止モード」を実行してもよい。これにより、異常発生時における手乾燥装置１００の使用を禁止することができる。また、制御部５０は、測定された振動値が予め決められた閾値より大きい場合または小さい場合の少なくとも一方の場合だけ、「禁止モード」を実行してもよい。制御部５０は、振動値が正常値範囲外における予め決められた第３の閾値より大きい場合または振動値が正常値範囲外における予め決められた第４の閾値より小さい場合の少なくとも一方の場合だけ、「禁止モード」を実行してもよい。第４の閾値は、第３の閾値よりも小さい。第３の閾値は、たとえば正常値範囲の上限値とされるが、これに限定されない。第４の閾値は、たとえば正常値範囲の下限値とされるが、これに限定されない。
【００６１】
なお、本実施の形態１では、高速空気流が水受け部４に衝突した際の加速度を検出する振動センサを用いる場合について示したが、振動センサ２７はこれに限定されない。振動センサ２７には、水受け部４の底面側水受け部４ｂの下面に電極を設けておき、底面側水受け部４ｂの変位によって生じる渦電流を検出することによって振動を測定する振動センサ、または静電容量を検出することで振動を測定する振動センサを使用してもよい。
【００６２】
また、上述した手乾燥装置１００の水受け部４は、ケーシング１の一部として均一な板厚で形成されている。一方、ノズル１２から噴出された高速空気流が衝突する部分の板厚、すなわちノズル１２の中心線の延長線上に対応する部分の板厚を薄肉化して、振動センサ２７による振動の検出感度を向上させてもよい。この場合は、水受け部４の底面側水受け部４ｂの下面におけるノズル１２の中心線の延長線上に振動センサ２７を配置することで、より振動センサ２７による振動の検出感度が向上する。
【００６３】
また、上述した本実施の形態１では、手検知センサ１４における検出結果が、「手有り」の状態から「手無し」の状態に変化した後に、高圧空気流発生装置９を予め決められた時間だけ継続して動作させ、水受け部４の振動を測定する構成を示した。ただし、手乾燥装置１００における製品状態が正常であるか異常であるかの検出においては、手検知センサ１４における検出結果が「手無し」の状態で、高圧空気流発生装置９が動作しているときに振動を測定すればよく、水受け部４の振動を測定するタイミングは上述したタイミングに限定されない。たとえば、手乾燥装置１００が使用されていないときに、定期的に高圧空気流発生装置９を予め決められた時間だけ動作させて、底面側水受け部４ｂの振動を測定してもよい。
【００６４】
また、本実施の形態１では、水受け部４の底面側水受け部４ｂの下面に振動センサ２７が設けられた場合について示したが、振動センサ２７は、手乾燥装置１００において検知対象とする異常内容に対応させて、適宜ケーシング１における別の場所に設けられてもよく、振動センサ２７の位置は底面側水受け部４ｂの下面に限定されない。
【００６５】
また、本実施の形態１では、手挿入部３の上側の内壁である上壁３ａにノズル１２が配置されて、手挿入部３に挿入された手の片面にノズル１２から噴出された高速空気を当てて手に付着している水滴を吹き飛ばす構成の手乾燥装置１００を示したが、手乾燥装置１００の構成はこれに限定されない。たとえば、手乾燥装置１００が、手挿入部３における一方側と他方側に対向するようにノズル１２を２つ設け、手挿入部３に挿入された手の両面にノズルからの高速空気を当てる構成とされてもよい。この場合、ノズル１２の中心線の延長方向に振動センサ２７を設けた場合には、振動を測定する時だけ、一方側のノズル１２から高速空気が噴出するようにして高速空気が直接に振動センサ２７の設けてある位置に当てて振動を測定するとなおよい。これは、両方のノズル１２から高速空気を噴出させると、噴出した高速空気同士がぶつかってしまうためである。
【００６６】
ただし、各々のノズル１２からの高速空気の噴出を独立に制御できるように風路を開閉するダンパ、または各々のノズル１２から高速空気を発生させる高圧空気流発生装置９を各々のノズル用に設ける必要があり、構成が複雑となってしまう。このため、両方のノズル１２から空気を噴出させた状態で振動を測定してもよい。
【００６７】
上述したように、本実施の形態１にかかる手乾燥装置１００は、水受け部４の底面側水受け部４ｂの下面に設けられた振動センサ２７によって、製品状態が正常であるか、異常であるかを容易に且つ精度良く検出することができる。手乾燥装置１００は、異常が発生している部位を特定することはできないが、上述のとおり振動の加速度の数値によって想定される要因は絞り込むことができ、点検および保全を効率的に実施することができる。
【００６８】
また、手検知センサ１４の検出結果に基づいて制御部５０において「手有り」の状態であると判定されている間は、高速空気流が使用者の手に衝突して遮られている状態であるため、水受け部４の振動を計測しても製品状態の判定を行うことはできない。このため、手乾燥装置１００では、手検知センサ１４における検出結果が、手挿入部３に手が挿入されている「手有り」の状態から、手挿入部３に手が挿入されていない「手無し」の状態に変化したことを判定した後に、高圧空気流発生装置９を予め決められた時間だけ継続して動作させて、水受け部４の振動を測定する。これにより、手乾燥装置１００は、製品状態の判定を行うことはできない「手有り」の状態で振動センサ２７を動作させることによる電力消費を削減して、省エネルギー化を図ることができる。
【００６９】
したがって、本実施の形態１にかかる手乾燥装置１００は、製品における異常を簡単な構成で精度良く検出することができる、という効果を奏する。そして、本実施の形態１にかかる手乾燥装置１００は、高圧空気流発生装置９の異常および高圧空気流発生装置９の異常以外の異常の発生を検知することができる、という効果を奏する。
【００７０】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００７１】
１  ケーシング、２  手挿入口、３  手挿入部、３ａ  上壁、４  水受け部、４ａ  背面側水受け部、４ｂ  底面側水受け部、５  防壁構造、７  ドレン容器、８  ベース、９  高圧空気流発生装置、１０  内部吸気口、１１  内部吸気風路、１２  ノズル、１３  排気風路、１４  手検知センサ、１５  ヒータ、１６  カバー、１７  凹部、１７ａ  傾斜部、１８  外部吸気口、１９  外部吸気風路、２０  エアフィルタ、２１ａ  電源スイッチ、２１ｂ  風量調節スイッチ、２１ｃ  ヒータ切替スイッチ、２２  吸気口壁、２３  ケーシング側障壁、２４  カバー側障壁、２５  囲い壁、２６  リブ、２７  振動センサ、２８  取付板、２９  締結部品、３０  貫通穴、３１  表示部、３２  防振部品、４０  壁、４１  引っ掛け部、５０  制御部、１００  手乾燥装置、１０１  プロセッサ、１０２  メモリ。
【図１】
2019195365.tif 000003
【図２】
2019195365.tif 000004
【図３】
2019195365.tif 000005
【図４】
2019195365.tif 000006
【図５】
2019195365.tif 000007
【図６】
2019195365.tif 000008
【図７】
2019195365.tif 000009
【図８】
2019195365.tif 000010
【図９】
2019195365.tif 000011
【図１０】
2019195365.tif 000012
【図１１】
2019195365.tif 000013
【図１２】
2019195365.tif 000014
【図１３】
2019195365.tif 000015